(57)【要約】【課題】取水口のスクリーンに挟まった小石や木の枝などを小型かつ簡易な構造の除塵装置で確実に取り除けるようにすることである。【解決手段】取水口に配設されたスクリーン４の前面に配設され、巻掛伝動装置によって該スクリーン４上を下部から上部に向かって移動する掻き落し手段２１を備え、該掻き落し手段２１が前記スクリーン４を構成する多数の縦桟７の間を梳く櫛歯４２が設けられた固定部材４０と、この固定部材４０に弾性支持され前記櫛歯４２に対して進退動する可動部材４１とを有する。この除塵装置は、前記櫛歯４２がスクリーン４の各縦桟７の間を梳くように移動することでスクリーン４に挟まっている小石や木の枝を除去することができると共に、櫛歯４２に挟まったゴミは前記固定部材４０に弾性支持された可動部材４１で押し出して回収することができる。【選択図】　　　図４
2004131930.tif 000002
【特許請求の範囲】
【請求項１】
取水口に配設されたスクリーンの前面に配設され、巻掛伝動装置によって該スクリーン上を下部から上部に向かって移動する掻き落し手段を備え、該掻き落し手段が前記スクリーンを構成する多数の縦桟の間を梳く櫛歯が設けられた固定部材と、この固定部材に弾性支持され前記櫛歯に対して進退動する可動部材とを有することを特徴とする取水口の除塵装置。
【請求項２】
前記巻掛伝動装置は、上下に配置されたスプロケットと、このスプロッケット間に掛け渡されたチェーンと、このチェーンに駆動力を伝達する動力伝達機構とを備え、チェーンに前記掻き落し手段が取り付けられてなる請求項１記載の取水口の除塵装置。
【請求項３】
前記掻き落し手段がスクリーン上を移動する間は前記可動部材が弾性力に抗して後退し、固定部材に設けられた櫛歯が大きく露出する一方、スクリーン上を通過した後は可動部材が弾性復帰して櫛歯側に前進し、櫛歯の一部又は全部を覆い隠してなる請求項１記載の取水口の除塵装置。
【請求項４】
前記スクリーンの上方位置には該スクリーンから取り除いたゴミを掻き落し手段から落下させて排出するベルトコンベアが配設されてなる請求項１記載の取水口の除塵装置。
【発明の詳細な説明】
【０００１】
【発明の属する技術分野】
本発明は、河川や用水路の取水口に設置されたスクリーンに挟まった小石や木の枝などのゴミを取り除くための除塵装置に関する。
【０００２】
【従来の技術】
河川や用水路などに設けられた取水口から水を引き込む場合、一緒に流れてくる木の枝、木片、枯葉、小石などのゴミを除去する必要があり、一般的には取水口にスクリーンを設けてこれらのゴミが取水口内に侵入するのを防止している。しかし、台風や大雨などで河川が出水した場合にはスクリーンに木片や木の枝、小石などが大量に挟まってしまうことがあり、また晩秋の季節には枯葉がスクリーンの表面にべったりと張り付いてしまい、所定の取水量が得られないといった問題がある。
【０００３】
従来、このような場合にはスクリーンに挟まった小石や木の枝、枯葉などのゴミを作業員が定期的にレーキを用いて掻き落としていた。しかし、高所からの力作業になるために危険を伴うと共に多大の労力を必要とし、また木の枝や木片、小石が頑固に挟まってしまった場合には容易に除去することができなかった。
【０００４】
そこで、従来にあってはこれらの問題を解決する目的で、図６に示したような除塵機が提案されている（特開平６−５７７２６）。この除塵機６０は、取水口６１の上部に設置された架台６２に上段レーキガイド６３を揺動可能に取付けると共に、この上段レーキガイド６３に下段レーキガイド６４を昇降自在に設け、この下段レーキガイド６４に昇降自在に設けられたレーキ６５を巻取ドラム６６に巻かれたワイヤロープ６７，６８でスクリーン６９に沿って強制的に昇降動作させたものである。
【０００５】
【発明が解決しようとする課題】
しかしながら、上記従来の除塵機６０にあっては、装置自体が大型であることから設置スペースを広く確保する必要があり、取水口６１の上部スペースが狭い所では設置できないといった問題があった。また、上記の除塵機６０は駆動部分が多い上に構造が複雑であるために、メンテナンスが面倒になるといった問題もある。さらに、レーキ６５を取水口６１の幅方向に移動させながらスクリーン６９に沿って昇降動作を繰り返す必要があるために、スクリーン６９を一通り除塵するのに時間が掛かる他、レーキ６５では除去しきれない場合もあった。
【０００６】
そこで本発明の目的は、小型且つ簡易な構造でありながら確実にスクリーンのゴミを取り除くことのできる取水口の除塵装置を提供することである。
【０００７】
【課題を解決するための手段】
上記課題を解決するために、本発明の請求項１に係る取水口の除塵装置は、取水口に配設されたスクリーンの前面に配設され、巻掛伝動装置によって該スクリーン上を下部から上部に向かって移動する掻き落し手段を備え、該掻き落し手段が前記スクリーンを構成する多数の縦桟の間を梳く櫛歯が設けられた固定部材と、この固定部材に弾性支持され前記櫛歯に対して進退動する可動部材とを有することを特徴とする。
【０００８】
この発明によれば、固定部材に設けた櫛歯がスクリーンの各縦桟の間を梳くように移動することでスクリーンに付着したゴミを容易に取り除くことができると共に、櫛歯の間に掻き取ったゴミは前記固定部材に弾性支持された可動部材によって押し出して回収することができる。
【０００９】
また、前記巻掛伝動装置は、上下に配置されたスプロケットと、このスプロッケットに掛け渡されたチェーンと、このチェーンに駆動力を伝達する動力伝達機構とを備えている。前記掻き落し手段は、チェーンに取り付けられることによってチェーンと共にスクリーン上を移動するので、スクリーンに挟まった木の枝や小石などを確実に除去することができる。
【００１０】
また、前記掻き落し手段は、スクリーン上を移動する間は前記可動部材が弾性力に抗して後退し櫛歯が大きく露出する一方、スクリーン上から外れた後は可動部材が弾性復帰して櫛歯上を前進し、櫛歯に挟まっているゴミを櫛歯の間から押し出すことができる。
【００１１】
さらに、前記スクリーンの上方位置に該スクリーンから取り除いたゴミを掻き落し手段から落下させて排出するベルトコンベアを配設することで、人手を掛けずに、スクリーンから取り除いたゴミを排出処理することができる。
【００１２】
【発明の実施の形態】
以下添付図面に基づいて、本発明に係る取水口の除塵装置について、最良と思われる実施形態を詳細に説明する。ここで、図１乃至図５は本発明に係るスクリーン装置の一実施形態を示したものであり、図１は除塵装置の正面図、図２は除塵装置の平面図、図３は除塵装置の側面図である。また、図４はスクリーン上を移動する掻き落し手段の斜視図と底面図を示し、図５はスクリーン上から外れた掻き落し手段の斜視図と底面図を示したものである。
【００１３】
図１乃至図３において、河川の取水口１は、回りがコンクリートの側壁２と底壁３とによって囲まれ、その中に水を取り入れるようになっている。そして、前記取水口１の前面側にはゴミが取水口１内に入らないようにスクリーン４が斜めに配設されている。このスクリーン４は、左右一対の縦フレーム５と、この縦フレーム５間に掛け渡された複数の横フレーム６とで取水口１の全体をカバーする矩形状枠体を構成し、この矩形状枠体に金属棒からなる縦桟７を多数配列したものである。前記スクリーン４は、その両側の縦フレーム５が前記取水口１を構成する側壁２に固定され、左右の縦フレーム５の下端に掛け渡した補強フレーム８が底壁３に固定されている。
【００１４】
また、前記スクリーン４の上部には該スクリーン４と同じ傾斜角度で上方に延びる金属製の平板９が配設されている。この平板９はスクリーン４の上端から連続して一体的に延びると共に、上端には外側に鋭角に折れ曲がるガイド面１０が形成され、このガイド面１０の下方には横方向に水平に延びるベルトコンベア１１が配設されている。なお、ベルトコンベア１１の一端部にはコンベア駆動用のモータ１２が配設される。
【００１５】
本発明では、前記スクリーン４の前面側に除塵装置２０が配設されている。この除塵装置２０は、前記スクリーン４の前面に沿って下部から上部に向かって移動する掻き落し手段２１と、この掻き落し手段２１を駆動するための巻掛伝動装置２２とを備える。巻掛伝動装置２２は、前記側壁２の上面に立設された支持フレーム２３に回転可能に支持された前後一対のスプロケット２４，２５と、スクリーン４の下部に配設されたスプロケット２６と、これらスプロッケット２４，２５，２６に掛け渡されたチェーン２７とを備える。チェーン２７は保護カバー２８によって被覆されており、この保護カバー２８に前記スプロケット２６の回転軸２９が支持されている。また、前記保護カバー２８は、上部が支持フレーム２３に溶接されると共に、下部がステー３０を介してスクリーン４の左右の縦フレーム５に固定されている。前記支持フレーム２３の後部には電動機３１と減速機３２とが配設され、ベルト３３を介してスプロケット２５に駆動力が伝達される。なお、前記ベルト３３の下部およびスプロケット２４の下部にはそれぞれテンショナ３４，３５が配設されると共に、スプロケット２５の後端にはチェーン２７の緊張装置３６が設けられる。
【００１６】
一方、図１乃至図３に示されるように、前記チェーン２７の対向する２箇所に掻き落し手段２１が固定されている。この掻き落し手段２１は、図４及び図５に示されるように、左右のチェーン２７間に掛け渡された固定部材４０と、この固定部材４０に弾性支持された可動部材４１とを備える。固定部材４０は、前記スクリーン４側に向かって水平方向に突出しており、その前端には多数の櫛歯４２が形成されている。また、可動部材４１は固定部材４０の裏面側に配設され、固定部材４０に溶接されたＬ形のガイド片４３によって固定部材４０との間に挟持される。また、固定部材４０と可動部材４１には同一線上にＬ字ブラケット４４，４５が設けられ、可動部材４１側のＬ形ブラケット４５にはボルト軸４６が溶接されている。一方、固定部材４０側のＬ形ブラケット４４には、前記ボルト軸４６の先端が挿通する孔が開設されており、この孔から突出するボルト軸４６の先端にはナット４７が螺合している。また、前記ボルト軸４６には圧縮コイルバネ４８が巻かれており、常時は可動部材４１を前方へ押し出す方向に付勢している。可動部材４１が前方へ押し出されることで、固定部材４０に形成された櫛歯４２の半分以上を隠すことができる。また、圧縮コイルバネ４８が縮小して可動部材４１が後退することで、前記固定部材４０の櫛歯４２は大きく露出する。
【００１７】
次に、上記構成からなる除塵装置２０の運転について説明する。この除塵装置２０は常時連続的に運転されるものではなく、定期的に運転したり台風や大雨などの出水時あるいは取水口１での水位差などによって運転される。秋にはスクリーン４の前面に落ち葉が付着し易いので、定期運転の頻度を高める必要がある。運転する場合には、先ず除塵装置２０のメインスイッチを入れてコンベアモータ１２及び電動機３１を駆動する。電動機３１の駆動力は減速機３２を介してスプロケット２５に伝達され、残りのスプロケット２４，２６が従動して回転すると共に、チェーン２７が矢印方向に回転する。そして、このチェーン２７の回転に伴って掻き落し手段２１がスクリーン４の前面に沿って下方位置から上方に移動する。この時、図４に示したように、スクリーン４の各縦桟７の隙間に固定部材４０の前面に設けられた櫛歯４２が嵌り込む。また、スクリーン４の位置が可動部材４１の定常位置より少し前方に突出しているために、可動部材４１はスクリーン４の縦桟７によって押される格好となり、圧縮コイルバネ４８が縮小して後退する。そのために、櫛歯４２が大きく露出してスクリーン４の縦桟７に深く嵌り込むので、スクリーン４を梳いていく際には縦桟７間に挟まっている木片や小石、スクリーン４の前面に付着している木の葉を確実に掻き落すことができる。
【００１８】
スクリーン４上を移動した掻き落し手段２１は、図５に示したように、スクリーン４の上端部から平板９上に乗り移る。この平板９には櫛歯４２の前端部が当接するために、圧縮コイルバネ４８が弾性復帰して可動部材４１が前進し、櫛歯４２の大部分を隠してしまう。そのため、櫛歯４２に間に挟まっているゴミは可動部材４１によって押し出され、櫛歯４２から外れると共に、そのまま掻き落し手段２１の上に載置された状態で平板９上をずり上がる。そして、そのゴミは平板９の上端から反対側のガイド面１０を滑り落ち、そのまま真下で待ち受けるベルトコンベア１１上に落下する。ベルトコンベア１１によって運ばれたゴミは、所定の手段によって処理される。ゴミを落下させた後の掻き落し手段２１は、チェーン２７の回転によって一周したのち、再びスクリーン４の下端部に達し、上述と同様の除塵動作が繰り返される。
【００１９】
【発明の効果】
以上説明したように、本発明に係る取水口の除塵装置によれば、固定部材に設けた櫛歯がスクリーンの各縦桟の間を梳くように移動することでスクリーンに付着したゴミを容易に取り除くことができると共に、櫛歯の間に掻き取ったゴミは前記固定部材に弾性支持された可動部材によって押し出して回収することができる、といった効果を奏する。
【図面の簡単な説明】
【図１】本発明に係る除塵装置の正面図である。
【図２】本発明に係る除塵装置の平面図である。
【図３】本発明に係る除塵装置の側面図である。
【図４】スクリーン上を移動する掻き落し手段の斜視図と底面図である。
【図５】スクリーン上を移動した後の掻き落し手段の斜視図と底面図である。
【図６】従来における除塵機の一例を示す側面図である。
【符号の説明】
１　取水口
４　スクリーン
７　縦桟
１１　ベルトコンベア
２０　除塵装置
２１　掻き落し手段
２２　巻掛伝動装置
２４　スプロケット
２５　スプロケット
２６　スプロケット
２７　チェーン
３１　電動機
３２　減速機
４０　固定部材
４１　可動部材
４２　櫛歯
４８　圧縮コイルバネ
【図１】
2004131930.tif 000003
【図２】
2004131930.tif 000004
【図３】
2004131930.tif 000005
【図４】
2004131930.tif 000006
【図５】
2004131930.tif 000007
【図６】
2004131930.tif 000008